(57)【要約】      （修正有）【課題】ストロボ光源が内蔵されているカメラ用のストロボ光拡散板を提供する。【解決手段】前部支持部１Ｂ、後部支持部１Ｃ、開口部が形成された中間支持部１Ｄおよびストロボ光拡散部１Ｅを有した拡散板本体１Ａを備え、この拡散板本体１Ａをカメラ２に着脱自由に装着して使用する簡単な構造と形状のストロボ光拡散板１を設けた。従って、カメラ２で撮影する場合、ストロボ光が拡散板本体１Ａを透過して拡散するため、ソフトで自然な照明効果が得ることができる。【選択図】図３
0003166515.tif 000002
【実用新案登録請求の範囲】
【請求項１】
カメラに内蔵されたストロボ光源から発せられたストロボ光を拡散するための着脱自由な構造の拡散板であって、弾性を有する素材からなる板状の拡散板本体を備え、該拡散板本体は、その前端部に前記カメラの一部分に支持される前部支持部を、その後端部に前記カメラの他の部分に支持される後部支持部を、前記前部支持部と後部支持部との間の部分に位置し、前記ストロボ光源が前方に露出して臨む開口部が形成された中間支持部と、前記前部支持部と前記中間支持部との間の部分に位置し、ストロボ光が拡散して透過可能なストロボ光拡散部を、それぞれ有し、前記拡散板本体は、前部支持部および後部支持部をカメラに支持した使用状態で、弾性力に抗して上方向に延びて湾曲変形して前記ストロボ光拡散部が前記開口部から露出して臨むストロボ光源と間隔をもって対面し、該前部支持部と該後部支持部とが離間する方向の弾性反発力によりカメラに保持されることを特徴とするカメラのストロボ光拡散板。
【請求項２】
前記カメラは、その本体上部に、前記ストロボ光源を先端前面に支持するストロボ光源支持部を、伏せたストロボ光源未使用位置と立ち上がったストロボ光源使用位置との間を揺動可能に備えると共に、前記伏せたストロボ光源未使用位置へと揺動させたストロボ光源支持部を格納する格納凹部を備えたことを特徴とする請求項１記載のカメラのストロボ光拡散板。
【請求項３】
前記前部支持部には、前記カメラの一部分としての前記格納凹部の先端部に嵌め込み係合される係合孔が形成されていることを特徴とする請求項２記載のカメラのストロボ光拡散板。
【請求項４】
前記係合孔は、その内縁から内方に張り出す抜け止め用突起片を備えていることを特徴とする請求項３記載のカメラのストロボ光拡散板。
【請求項５】
前記後部支持部には、前記カメラの一部分としての前記格納凹部の後部に係合される係合溝が形成されていることを特徴とする請求項２〜４のうちいずれか１つに記載のカメラのストロボ光拡散板。
【請求項６】
前記中間支持部は、使用状態の湾曲変形の際の曲率が連続的に変化して、前記ストロボ光拡散部との境部付近で急激なカーブを描くような逆Ｕ字形状をなすように、その開口部の形状を設定したことを特徴とする請求項１〜５のうちいずれか１つに記載のカメラのストロボ光拡散板。
【請求項７】
前記開口部の形状を、前縁を底部、後縁を頂部の略台形状に設定したことを特徴とする請求項６記載のカメラのストロボ光拡散板。
【請求項８】
前記拡散板本体は、前記中間支持部を長く形成することにより、前記使用状態において前方に傾斜して延び、前記ストロボ光拡散部の上端部が被写体寄りに位置することを特徴とする請求項１〜７のうちいずれか１つに記載のカメラのストロボ光拡散板。
【請求項９】
前記拡散板本体は、前部支持部とストロボ光拡散部との境部に、該境部の内面側が凸、外面側が凹となるように折り曲げるための折り曲げ線を備えたことを特徴とする請求項１〜８のうちいずれか１つに記載のカメラのストロボ光拡散板。
【請求項１０】
前記拡散板本体は、１ｍｍ以下、好ましくは、０．５〜０．６ｍｍの範囲の厚さの１枚の色付き樹脂製シートから形成したことを特徴とする請求項１〜９のうちいずれか１つに記載のカメラのストロボ光拡散板。
【考案の詳細な説明】
【技術分野】
【０００１】
本考案は、カメラに内蔵されたストロボ光源から発せられたストロボ光を拡散するための拡散板に関し、特に、カメラとは別部品であって、該カメラに対して着脱が可能な簡単な構造および形状のストロボ光拡散板に関する。
【背景技術】
【０００２】
カメラによって被写体を撮影する際に、被写体にストロボ光を照射して照明効果を得ようとした場合、例えば、被写体とストロボ光とが近いと、被写体にストロボ光を直射すると、良好な照明効果が得られないことが多い。例えば、カメラのレンズ鏡筒の影が被写体と重なって写真に写り込んでしまったり、ストロボ光によって出来る被写体の影の輪郭が写真に悪影響を与え、ソフトで自然な照明効果が得ることが難しい。
【０００３】
このため、ストロボ光源や撮影ライトなどの光をいったん天井や壁などの反射物に当て、その拡散反射光を利用して被写体を照明するバウンス方式の撮影を行うことが多い。しかし、屋外では反射物となるものがないため、バウンス方式の撮影は行えないのは当然であるが、ストロボ光源が内蔵されているカメラでは、ストロボ光源が定位置にセットされ、ストロボ光が被写体に向けて照射されるため、ストロボ光を反射物に向けられず、バウンス方式の撮影は行えない。
【０００４】
ここで、特許文献１においては、カメラを携帯していないときでも、手軽に写真撮影が行えるレンズ付きフィルムユニットにおいて、その本体基部の前面を覆うように取り付けられた前カバーにおいて、前記本体基部に組み付けられたストロボの発光部を覆う一部を予めストロボ光の拡散面とした技術が開示されている。
【０００５】
この従来技術では、レンズ付きフィルムユニットにおいては、ストロボ光の拡散手段が設けられているため、ストロボ光を拡散させた撮影が可能であるが、ストロボ光の拡散手段がカメラとは別部品ではないため、レンズ付きフィルムユニット以外の、ストロボ光源が内蔵されている通常のカメラにおいては、依然としてストロボ光を拡散させた撮影は不可能であり、従来の問題を何ら解決できる技術とは言えない。
【先行技術文献】
【特許文献】
【０００６】
【特許文献１】特開平７−４３７９０号公報
【考案の概要】
【考案が解決しようとする課題】
【０００７】
解決しようとする問題点は、ストロボ光源が内蔵されているカメラにおいて、ストロボ光を拡散させた撮影を行えず、良好な照明効果が得られない点である。
【課題を解決するための手段】
【０００８】
請求項１に係る考案のカメラのストロボ光拡散板は、カメラに内蔵されたストロボ光源から発せられたストロボ光を拡散するための着脱自由な構造の拡散板であって、弾性を有する素材からなる板状の拡散板本体を備え、該拡散板本体は、その前端部に前記カメラの一部分に支持される前部支持部を、その後端部に前記カメラの他の部分に支持される後部支持部を、前記前部支持部と後部支持部との間の部分に位置し、前記ストロボ光源が前方に露出して臨む開口部が形成された中間支持部と、前記前部支持部と前記中間支持部との間の部分に位置し、ストロボ光が拡散して透過可能なストロボ光拡散部を、それぞれ有し、前記拡散板本体は、前部支持部および後部支持部をカメラに支持した使用状態で、弾性力に抗して上方向に延びて湾曲変形して前記ストロボ光拡散部が前記開口部から露出して臨むストロボ光源と間隔をもって対面し、該前部支持部と該後部支持部とが離間する方向の弾性反発力によりカメラに保持されることを特徴とする。
【０００９】
請求項２に係る考案は、前記カメラは、その本体上部に、前記ストロボ光源を先端前面に支持するストロボ光源支持部を、伏せたストロボ光源未使用位置と立ち上がったストロボ光源使用位置との間を揺動可能に備えると共に、前記伏せたストロボ光源未使用位置へと揺動させたストロボ光源支持部を格納する格納凹部を備えたことを特徴とする。
【００１０】
請求項３に係る考案は、前記前部支持部には、前記カメラの一部分としての前記格納凹部の先端部に嵌め込み係合される係合孔が形成されていることを特徴とする。
【００１１】
請求項４に係る考案は、前記係合孔は、その内縁から内方に張り出す抜け止め用突起片を備えていることを特徴とする。
【００１２】
請求項５に係る考案は、前記後部支持部には、前記カメラの一部分としての前記格納凹部の後部に係合される係合溝が形成されていることを特徴とする。
【００１３】
請求項６に係る考案は、前記中間支持部は、使用状態の湾曲変形の際の曲率が連続的に変化して、前記ストロボ光拡散部との境部付近で急激なカーブを描くような逆Ｕ字形状をなすように、その開口部の形状を設定したことを特徴とする。
【００１４】
請求項７に係る考案は、前記開口部の形状を、前縁を底部、後縁を頂部の略台形状に設定したことを特徴とする。
【００１５】
請求項８に係る考案は、前記拡散板本体は、前記中間支持部を長く形成することにより、前記使用状態において前方に傾斜して延び、前記ストロボ光拡散部の上端部が被写体寄りに位置することを特徴とする。
【００１６】
請求項９に係る考案は、前記拡散板本体は、前部支持部とストロボ光拡散部との境部に、該境部の内面側が凸、外面側が凹となるように折り曲げるための折り曲げ線を備えたことを特徴とする。
【００１７】
請求項１０に係る考案は、前記拡散板本体は、１ｍｍ以下、好ましくは、０．５〜０．６ｍｍの範囲の厚さの１枚の色付き樹脂製シートから形成したことを特徴とする。
【考案の効果】
【００１８】
請求項１に係る考案に係るカメラのストロボ光拡散板によれば、カメラにストロボ光拡散板を装着した状態で撮影すると、ストロボ光源から発せられたストロボ光がストロボ光拡散板を透過して上下・左右の広い範囲に拡散する、つまり、発光面が拡がる。
【００１９】
このため、ストロボ光源が内蔵されているカメラであって、ストロボ光源が定位置にセットされてストロボ光が被写体に向けて直射されものにおいても、ストロボ光源から発せられたストロボ光がストロボ光拡散板を透過して広い範囲に拡散されるため、良好な照明効果が得られ、例えば、カメラのレンズ鏡筒の影が被写体と重なって写真に写り込むことがなく、また、ストロボ光によって出来る被写体の影の輪郭が写真に悪影響を与えることがなく、ソフトで自然な照明効果が得ることができる。
【００２０】
さらに、屋外で反射物となるものなく、バウンス方式の撮影が行えない場合にも、良好な照明効果が得られる。また、カメラに対して着脱が可能な簡単な構造および形状であり、携帯が容易にでき、しかも、板部材を加工するだけで良いため、製作性に優れ、製作コストも安価である。
【００２１】
請求項２〜５に係る考案によれば、ストロボ光源を先端前面に支持するストロボ光源支持部と、該ストロボ光源支持部を格納する格納凹部を備えたカメラに対して、拡散板本体の前部支持部と後部支持部とを容易かつ確実に支持して、カメラにストロボ光拡散板を保持することができる。
【００２２】
特に、請求項４に係る考案のように、前部支持部の係合孔に抜け止め用突起片を設ければ、確実な抜け止め効果が得られる。
【００２３】
請求項６および７に係る考案によれば、中間支持部の開口部の形状を、例えば、略台形状に設定すれば、略台形の頂部によって、開口部から露出するストロボ光源がストロボ光拡散部と間隔をもって対面するように、該ストロボ光源を確実に保持できると共に、略台形の底部近傍の両側に位置する、拡散板本体の細い部分により、湾曲変形の際の曲率が連続的に変化して、ストロボ光拡散部との境部付近で急激なカーブを描くような逆Ｕ字形状をなすため、ストロボ光の拡散範囲が拡がると共に、前部支持部と後部支持部とが離間する方向の弾性反発力が的確に発生し、ストロボ光拡散板のカメラへの保持力が確実に得られる。
【００２４】
請求項８に係る考案によれば、拡散板本体の中間支持部を長く形成すれば、前方に傾斜して延び、ストロボ光拡散部の上端部が被写体寄りに位置するため、ストロボ光の拡散効果が高い。
【００２５】
請求項９に係る考案によれば、折り曲げ線に沿って、前部支持部とストロボ光拡散部との境部を折り曲げるようにしたため、ストロボ光拡散板の各部の形状が安定し、例えば、拡散板本体の前部支持部における係合孔がカメラ本体の格納凹部の先端部から抜けることがないなど、ストロボ光拡散板のカメラへの保持力がより増す。
【００２６】
請求項１０に係る考案によれば、拡散板本体を１ｍｍ以下、好ましくは、０．５〜０．６ｍｍの範囲の厚さの１枚の色付き樹脂製シートから形成したことにより、適正な弾性力が得られると共に、保管や携帯もし易く、例えば、プレス型により１回で打抜成形できるため、より製作性に優れ、製作コストも安価になる。
【図面の簡単な説明】
【００２７】
【図１】図１は、本考案に係るストロボ光拡散板の実施例１を示す拡散板本体の正面図である。
【図２】図２は、同上のストロボ光拡散板を装着するカメラの一例を示す左側面図である。
【図３】図３は、同上のストロボ光拡散板を同上のカメラに装着した状態を示す左側面図である。
【図４】図４は、本考案に係るストロボ光拡散板の実施例２を示す拡散板本体の正面図である。
【考案を実施するための形態】
【００２８】
ストロボ光源が内蔵されているカメラにおいて、ストロボ光を拡散させた撮影を行って、良好な照明効果を得ようとする目的を、カメラとは別部品であって、該カメラに対して着脱が可能な簡単な構造および形状のストロボ光拡散板により実現した。
【実施例１】
【００２９】
図１は、本考案に係るカメラのストロボ光拡散板の実施例１の正面図を示している。この実施例１のストロボ光拡散板１は、カメラとしての、後述するデジタル１眼レフカメラ（以下、単にカメラと略称する）にて、ストロボ光を拡散させた撮影を行って、良好な照明効果を得るために、該カメラに対して着脱可能に装着されるものである。
【００３０】
この図において、ストロボ光拡散板１の本体（以下、拡散板本体）１Ａは、弾性を有する素材、例えば、１ｍｍ以下、好ましくは、０．５〜０．６ｍｍの範囲の厚さの略長方形（例えば、１７５ｍｍ×９２ｍｍの寸法）の板状、すなわち、色付き樹脂製シートから形成され、樹脂としては、例えば、ポリプロピレン（ＰＰ）が選ばれ、白色をなしている。拡散板本体１Ａの長手方向の両端部（前端部と後端部）の縁部は、それぞれ台形状に形成され、拡散板本体１Ａにおいて、これらの台形部分と両側縁との境部は、それぞれＲ形状に形成されている。
【００３１】
かかる拡散板本体１Ａは、その前端部にカメラの一部分に支持される前部支持部１Ｂを、その後端部にカメラの他の部分に支持される後部支持部１Ｃを、前記前部支持部１Ｂと後部支持部１Ｃとの間の部分に位置し、後述するストロボ光源が前方に露出して臨む開口部１ｄが形成された中間支持部１Ｄを、前記前部支持部１Ｃと前記中間支持部１Ｄとの間の部分に位置し、ストロボ光が透過して拡散可能なストロボ光拡散部１Ｅを、それぞれ有している。
【００３２】
これらの各部を詳細に説明するが、その前にカメラの構造について、図２に基づいて説明しておく。カメラ２は、その本体（以下、カメラ本体）２Ａの前部にレンズ鏡筒２Ｂを備え、該カメラ本体２Ａの上部の後側に折り畳み収納可能なストロボ光源２ｃを備えている。すなわち、カメラ本体２Ａ上部には、前記ストロボ光源２ｃを先端前面に支持しているストロボ光源支持部２Ｃが、伏せたストロボ光源２ｃ未使用位置とやや前方に傾斜して立ち上がったストロボ光源２ｃ使用位置との間を揺動可能に備えられている。
【００３３】
一方、カメラ本体２Ａの上部の前側には、前記伏せたストロボ光源２ｃ未使用位置へと揺動させたストロボ光源支持部２Ｃを格納する格納凹部２Ｄが設けられている。この格納凹部２Ｄの前端部は、例えば、台形状に形成され、カメラ本体２Ａからは若干突出（突出部２ｄ）している。例えば、突出部２ｄの前面には、カメラ製造会社のロゴなどが表示されている。
【００３４】
そして、図１において、拡散板本体１Ａの前部支持部１Ｂの中央部分には、図２のカメラ２の一部分としての、カメラ本体２Ａの格納凹部２Ｄの突出部２ｄに嵌め込み係合される係合孔１ｂが形成されている。本実施例においては、この係合孔１ｂは、前縁が長辺で、後縁が短辺の台形状に形成されており、その内縁から内方に張り出す方形状の抜け止め用突起片１ｂ１が形成されている。
【００３５】
前記後部支持部１Ｃの縁部には、図２のカメラ２の他の部分としての、カメラ本体２Ａの格納凹部２Ｄの後部に係合される係合溝１ｃが切欠形成されている。この係合溝１ｃは、左右にずれないような形状にしてあり、本実施例においては、前記カメラ本体２Ａの格納凹部２Ｄの後部の形状に合わせて、拡散板本体１Ａの長手方向と直交する方向に延びる横縁が若干湾曲形成されている。
【００３６】
前記中間支持部１Ｄの開口部１ｄは、その形状を適宜設定することにより、後述するところの使用状態の湾曲変形の際の曲率が連続的に変化して、前記ストロボ光拡散部１Ｅとの境部付近で急激なカーブを描くような逆Ｕ字形状をなすようにしてあり、本実施例においては、前縁が底部１ｄ１（長辺）で、後述するがストロボ光源２ｃが位置する側の後縁が頂部１ｄ２（短辺）の略台形状に形成されており、長辺が内側に若干湾曲形成されている。
【００３７】
前記拡散板本体１Ａには、前部支持部１Ｂとストロボ光拡散部１Ｅとの境部には、該境部の内面側が凸、外面側が凹となるように折り曲げるための湾曲した折り曲げ線１ｆが形成されている。
【００３８】
次に、かかるストロボ光拡散板１のカメラ２に装着しての使用方法について、図３に基づいて説明する。すなわち、ストロボ光拡散板１を保管や携帯するときには、拡散板本体１Ａを平面状態にしておく。そして、ストロボ光拡散板１を使用する際には、拡散板本体１Ａの前部支持部１Ｂにおける係合孔１ｂを、カメラ本体２Ａの格納凹部２Ｄの突出部２ｄに嵌め込み係合する。
【００３９】
この場合、抜け止め用突起片１ｂ１が湾曲変形して前記格納凹部２Ｄの突出部２ｄ外周面に当たり、抜け止めがなされる。そして、折り曲げ線１ｆに沿って、前部支持部１Ｂとストロボ光拡散部１Ｅとの境部を折り曲げる。一方、後部支持部１Ｃにおける係合溝１ｃを、カメラ本体２Ａの格納凹部２Ｄの後部に係合する。
【００４０】
拡散板本体１Ａは、このように前部支持部１Ｂおよび後部支持部１Ｃをカメラ２に支持すると、その弾性力に抗して上方向に延びて湾曲変形し、前部支持部１Ｂと後部支持部１Ｃとが離間する方向Ｆの弾性反発力によりカメラ２に保持される。
【００４１】
この際、カメラ本体２Ａのストロボ光源２ｃが中間支持部１Ｄにおける開口部１ｄから露出して臨んで、ストロボ光拡散部１Ｅと間隔をもって対面する。
【００４２】
このようにして、カメラ２にストロボ光拡散板１を装着した状態で撮影すると、ストロボ光源２ｃから発せられたストロボ光がストロボ光拡散板１を透過して図３のＳの如く上下・左右の広い範囲に拡散する、つまり、発光面が拡がる。
【００４３】
このため、ストロボ光源２ｃが内蔵されているカメラ２であって、ストロボ光源２ｃが定位置にセットされてストロボ光が被写体に向けて直射されるものにおいても、ストロボ光源２ｃから発せられたストロボ光がストロボ光拡散板１を透過して広い範囲に拡散されるため、良好な照明効果が得られる。
【００４４】
例えば、カメラ２のレンズ鏡筒２Ｂの影が被写体と重なって写真に写り込むことがなく、ストロボ光によって出来る被写体の影の輪郭が写真に悪影響を与えることがなく、ソフトで自然な照明効果が得ることができる。また、屋外で反射物となるものがなく、バウンス方式の撮影が行えない場合にも、良好な照明効果が得られる。さらに、カメラ２に対して着脱が可能な簡単な構造および形状であり、携帯が容易にでき、しかも、板部材を加工するだけで良いため、製作性に優れ、製作コストも安価である。
【００４５】
前記中間支持部１Ｄの開口部１ｄの位置や形状は、ストロボ光源２ｃから発せられるストロボ光がストロボ光拡散部１Ｅに直接届くように考慮して設計すれば良いが、本実施例の場合、中間支持部１Ｄの開口部１ｄの形状を略台形状に設定してあるため、略台形の頂部１ｄ２によって、開口部１ｄから露出するストロボ光源２ｃがストロボ光拡散部１Ｅと間隔をもって対面するように、該ストロボ光源２ｃを確実に保持できる。
【００４６】
また、略台形の底部１ｄ１近傍の両側に位置する、拡散板本体１Ａの細い部分１ａにより、湾曲変形の際の曲率が連続的に変化して、ストロボ光拡散部１Ｅとの境部付近で急激なカーブを描くような逆Ｕ字形状をなすため、ストロボ光の拡散範囲が拡がると共に、前部支持部１Ｂと後部支持部１Ｃとが離間する方向の弾性反発力が的確に発生し、ストロボ光拡散板１のカメラ２への保持力が確実に得られる。
【００４７】
なお、開口部１ｄはこの形状にかかわらず、装着するカメラの機種やサイズに合わせて適宜設定すれば良く、前述した拡散板本体１Ａの細い部分１ａの幅が変化するため、拡散板本体が、カメラの機種やサイズに合った適正な曲率に変化する。
【００４８】
また、この実施例の場合は、拡散板本体１Ａの中間支持部１Ｄを長く形成してあるため、前方に傾斜して延び、ストロボ光拡散部１Ｅの上端部が被写体寄りに位置するため、ストロボ光の拡散効果が高い。
【００４９】
さらに、本実施例においては、抜け止め用突起片１ｂ１を設け、これが湾曲変形してカメラ本体２Ａの格納凹部２Ｄの突出部２ｄ外周面に当たるため、確実な抜け止め効果が得られる。また、折り曲げ線１ｆに沿って、前部支持部１Ｂとストロボ光拡散部１Ｅとの境部を折り曲げるようにしたため、ストロボ光拡散板１の各部の形状が安定し、例えば、拡散板本体１Ａの前部支持部１Ｂにおける係合孔１ｂがカメラ本体２Ａの格納凹部２Ｄの突出部２ｄから抜けることがないなど、ストロボ光拡散板１のカメラ２への保持力がより増す。
【００５０】
また、本実施例においては、拡散板本体１Ａを１枚の色付き樹脂製シートから形成したことにより、適正な弾性力が得られると共に、保管や携帯もし易く、例えば、プレス型により１回で打抜成形できるため、より製作性に優れ、製作コストも安価になる。この実施例では、拡散板本体１Ａの色を白色としたが、例えば、オレンジ色にすれば、温かみのある色の写真が撮れるなど、写真表現の幅が広がる利点があり、勿論、他の色でも構わない。
【００５１】
さらに、本考案のストロボ光拡散板１は、ストロボ光の拡散手段がカメラ２とは着脱可能な別部品であるため、レンズ付きフィルムユニット以外の、ストロボ光源が内蔵されているカメラにおいて容易に使用でき、先に述べた従来技術の問題点を解決することができる。
【００５２】
なお、ストロボ光拡散板１をカメラ２から外す際には、拡散板本体１Ａの係合孔１ｂを、カメラ本体２Ａの格納凹部２Ｄの突出部２ｄから外し、係合溝１ｃを、カメラ本体２Ａの格納凹部２Ｄの後部から外せば良い。
【実施例２】
【００５３】
図４は、本考案に係るストロボ光拡散板の実施例２の正面図を示している。この実施例２のストロボ光拡散板１０は他の機種やサイズなどのカメラに装着するためのものであり、拡散板本体１０Ａは、例えば、１８５ｍｍ×９２ｍｍの寸法の色付き樹脂製シートから形成される。
【００５４】
そして、その形態において、実施例１のストロボ光拡散板１と相違する点は、拡散板本体１０Ａの係合孔１０ｂは、抜け止め用突起片が形成されていない点と、係合溝１０ｃが単なる台形状に形成されている点とであり、他は、実施例１のストロボ光拡散板１と同様である。
【産業上の利用可能性】
【００５５】
カメラに対して着脱が可能な簡単な構造および形状で、保管や携帯もし易いストロボ光拡散板であり、ストロボ光の拡散手段がカメラとは別部品であるため、１眼レフカメラに係わらず、レンズ付きフィルムユニット以外の、ストロボ光源が内蔵されているカメラ全般において容易に使用できる。
【符号の説明】
【００５６】
１  ストロボ光拡散板
１Ａ  拡散板本体
１Ｂ  前部支持部
１ｂ  係合孔
１ｂ１  抜け止め用突起片
１Ｃ  後部支持部
１ｃ  係合溝
１Ｄ  中間支持部
１ｄ  開口部
１Ｅ  ストロボ光拡散部
２  カメラ
２Ａ  カメラ本体
２Ｃ  ストロボ光源支持部
２ｃ  ストロボ光源
２Ｄ  格納凹部
【図１】
0003166515.tif 000003
【図２】
0003166515.tif 000004
【図３】
0003166515.tif 000005
【図４】
0003166515.tif 000006